(57)【要約】【課題】  ひしゃく本体への容器との間に設けられた固定用コードの絡みつきを防止する。【解決手段】  容器１１に固定用コード１２により接続されるひしゃくであって、上記ひしゃく本体１５はシャフト１３を介して固定用コード１２に接合されている。【選択図】図１
2005287362.tif 000002
【特許請求の範囲】
【請求項１】
容器に固定用コードにより接続されるひしゃくであって、上記ひしゃく本体はシャフトを介して固定用コードに接合されていることを特徴とするひしゃく。
【請求項２】
上記容器は撒餌収納容器であると共にひしゃくは釣りの際に海面に餌を撒くために使用され、上記シャフトは金属製であって、シャフトの一端部はひしゃく本体の基端部に接合されると共に他端部は固定用コードの端部に接合されていることを特徴とする請求項１記載の撒き餌用ひしゃく。
【請求項３】
上記シャフトの一端部及び他端部には、ひしゃく本体の基端部及び固定用コードの端部に接合するためのリング状の接合部が形成されていることを特徴とする請求項１又は２記載のひしゃく。
【請求項４】
上記シャフトは形状記憶合金製であって直線状に形成されていることを特徴とする請求項１，２又は３記載のひしゃく。
【請求項５】
上記シャフトは、固定用コードの長さ寸法の約２／３に形成されているｋとを特徴とする請求項１，２，３又は４記載のひしゃく。
【発明の詳細な説明】
【技術分野】
【０００１】
本発明はひしゃくに係り、特に、磯釣りの際に海面に餌を撒くための撒き餌用ひしゃくの改良に関する。
【背景技術】
【０００２】
一般に、磯釣りにおいては、寄せ餌であるコマセを海面に散布して魚を呼び寄せ、釣り糸に付けた餌を散布したコマセの中に紛れ込ませるようにして行う。
従って、磯釣りにおいて釣り人は、例えば、片手には、釣竿を保持して海面に投入した釣り糸をコントロールしつつ、かつ、他方の手では、コマセを収納したバケツ状の撒き餌容器内の撒き餌をひしゃくによりすくって面に投入するという作業を行う必要がある。
【０００３】
このようなコマセを撒くひしゃくは、誤って海中に落下したり、置き忘れることのないように固定用コードが取り付けられている場合が多い。
この固定用コードは合成樹脂製であって、一端がひしゃく本体の基端部に固定されると共に、他端は撒き餌収納容器に固定され、ひしゃくを使う場合にひしゃく本体への巻き付きを防止するために、固定用コードは撒き餌収納容器への固定端部側はスパイラル状に形成されている。
【０００４】
しかしながら、このような従来のひしゃくにあっては、上記固定用コードは合成樹脂であって、コードそのものの重量は非常に軽いことから、上記スパイラル状の部分が形成されていてもなお、ひしゃくを振るってコマセを海面に撒いた場合にひしゃく本体に固定用コードが絡みつく場合があった。
【０００５】
このように脱落防止コードがひしゃく本体に絡みついた場合には、海面へのコマセの散布の際に、撒き餌収納容器も引っ張られて海面へ落下する可能性もあり、従来から改良が望まれていた。
【０００６】
これに関連して、従来、上記固定用コードが回転リングを介してひしゃくに取り付けられ、ひしゃく本体に固定用コードが絡みついた場合に容易に取り外すことができるようにした技術も公開されている（特許文献１参照）。
しかしながら、このような技術にあっても、ひしゃくへの固定用コードの絡みつきそのものを防止することはできず、従来より更なる良が望まれていた。
【０００７】
【特許文献１】特開２００２―３０６０３７号公報
【発明の開示】
【発明が解決しようとする課題】
【０００８】
本発明はこのような従来の問題点に鑑みなされたものであって、その課題は、ひしゃく本体への容器との間に設けられた固定用コードの絡みつきを防止することにある。
【課題を解決するための手段】
【０００９】
このような課題解決のため、請求項１記載の発明にあっては、容器に固定用コードにより接続されるひしゃくであって、上記ひしゃく本体はシャフトを介して固定用コードに接合されていることを特徴とする。
【００１０】
従って、請求項１記載の発明にあっては、ひしゃくと固定用コードとはシャフトにより所定間隔寸法分、離間している。
【００１１】
また、請求項２記載の発明にあっては、上記容器は撒餌収納容器であると共に上記ひしゃくは釣りの際に海面に餌を撒くために使用され、上記シャフトは金属製であって、シャフトの一端部はひしゃく本体の基端部に接合されると共に他端部は固定用コードの端部に接合されていることを特徴とする。
【００１２】
従って、請求項２記載の発明にあっては、上記シャフトは金属製であることから、所定の重量を有しており、撒餌用ひしゃく本体の基端部に固定されていることから、撒き餌用ひしゃくを撒き餌収納容器内に、ひしゃく本体の基端部が上方に位置すると共にひしゃく本体の先端部に形成されているカップ部を下方に位置するように配置した場合、上記シャフトが自重により上記ひしゃく本体の基端部から下方に垂下され、そのシャフトの他端部に固定用コードが接合されることとなる。
【００１３】
従って、撒き餌用ひしゃくを撒き餌収納容器内に配置した状態において、固定用コードはひしゃく本体の基端部からは離間した状態となる。
請求項３記載の発明にあっては、上記シャフトの一端部及び他端部には、ひしゃく本体の基端部及び固定用コードの端部に接合するためのリング状の接合部が形成されていることを特徴とする。
【００１４】
従って、請求項３記載の発明にあっては、上記リング状の接合部によりシャフトは回動可能にひしゃく本件体に接合されていることから、上記ひしゃくを使用して撒き餌を散布した場合であっても、シャフトはひしゃくの動きに追随することができる。
【００１５】
請求項４記載の発明にあっては、上記シャフトは形状記憶合金製であって直線状に形成されていることを特徴とする。
従って、請求項４記載の発明にあっては、撒餌用ひしゃくを大きく振り回してコマセを散布した場合であっても当初の形状を保持することができ、長年使用した場合であっても、直線形状を保持することができる。その結果、ひしゃく本体と固定用コードとが離間した状態を保持することができる。  
【００１６】
請求項５記載の発明にあっては、上記シャフトは、固定用コードの長さ寸法の約２／３に形成されていることを特徴とする。
従って、請求項５記載の発明にあっては、上記シャフトにより、固定用コードがシャフトに巻きつかないために必要な間隔寸法が確保される。
【発明の効果】
【００１７】
請求項１記載の発明にあっては、ひしゃくと固定用コードとはシャフトにより離間していることから、ひしゃくを使用した場合であっても、固定用コードはひしゃくに絡みつきにくい。
【００１８】
請求項２記載の発明にあっては、撒餌用ひしゃくを撒餌収納容器内に配置した状態において、固定用コードはひしゃく本体の基端部からは離間した状態となる。その結果、釣り人がこの状態から撒餌用ひしゃくを使用した場合、固定用コードはひしゃく本体に絡みつきにくい。
【００１９】
また、撒餌用ひしゃくを釣り人が保持した場合にあっても、常時、シャフトの自重によりひしゃく本体の基端部から下方に垂下され、固定用コードはひしゃく本体の基端部からは離間して位置することから、ひしゃく本体を振り回す動作を行った場合であっても、固定用コードは撒餌用ひしゃくに絡みつきにくい。
請求項３記載の発明にあっては、上記リング状の接合部によりシャフトは回動可能にひしゃく本体に接合され、ひしゃくを使用して撒き餌を散布した場合であっても、シャフトは撒き餌用ひしゃくの動きに追随することができるため、ひしゃくの動きを妨げることはない。
【００２０】
請求項４記載の発明にあっては、撒き餌用ひしゃくを振り回してコマセを散布した場合であっても当初の形状を保持することができ、長年使用した場合であっても、直線形状を保持することができ、その結果、ひしゃく本体と固定用コードとが離間した状態を保持することができる。
【００２１】
請求項５記載の発明にあっては、シャフトの長さ寸法が固定用コードに対して、撒き餌用ひしゃくを使用した場合に、固定用コードが巻きつかないために十分な間隔寸法を確保できる長さ寸法に形成されていることから、確実に固定用コードの巻きつきを防止することができる。
【発明を実施するための最良の形態】
【００２２】
以下、添付図面に基づき、本発明の実施の形態について詳細に説明する。
図１に示すように、本実施の形態にあっては、撒餌用ひしゃく１０は、撒き餌収納容器１１に固定用コード１２により接続され、シャフト１３を介して上記固定用コード１２に接合されている。
【００２３】
また、上記シャフト１３は金属製であって、シャフト１３の一端部１４はひしゃく本体１５の基端部１６に接合されると共に、他端部１７は固定用コード１２の端部１８に接合されている。また、上記シャフト１３の一端部１４及び他端部１７には、ひしゃく本体１５の基端部１６及び固定用コードの端部１８に接合するためのリング状の接合部を有する接合部材１９ａ，１９ｂが取付られている。さらに、上記シャフト１３は形状記憶合金製であって直線状に形成されている。
【実施例１】
【００２４】
図１に示すように、本実施例にあっては、上記撒餌収納容器１１は、上部が開放されたバッグ状に形成され、この撒餌収納容器１１の上面開口部に本実施例に係る撒餌用ひしゃく１０が配置されている。
【００２５】
そして、撒餌収納容器１１の取っ手部２０の基端部２１に固定用コード１２が取り付けられている。この固定用コード１２は合成樹脂製であって、スパイラル部２２及びこのスパイラル部２２に延設された紐状部２３とを有し、上記スパイラル部２２の先端部に取り付けられたフック部２４ａを介して上記取っ手部２０に固定されると共に、紐状部２３の先端部にも同様のフック部２４ｂが設けられている。
【００２６】
一方、この固定用コード１２はシャフト１３を介して撒餌用ひしゃく１０に接合されている。上記シャフト１３は形状記憶合金製であって、直線形状のコード状に形成されており、その太さは、上記固定用コード１２の直径よりもやや細く形成されている。
【００２７】
上記シャフト１３の両端部接合部材１９ａ，１９ｂが配設されており、上記接合部材１９ｂを介して上記紐状部２３のフック部２４ｂにより上記シャフト１３に回動可能に接合されていると共に、同様に接合部材１９ａを介して撒餌用ひしゃく１０のグリップ部２５の端部に回動可能に接合されている。
本実施例にあっては、上記シャフト１３は上記固定用コード１２の長さの約２／３の長さ寸法に形成されている。
【００２８】
以下、本実施例に係る撒餌用ひしゃく１０の作用について説明する。
図１に示すように、本実施例に係る撒餌用ひしゃく１０は以上のような構成を有することから、上記撒餌用ひしゃく１０を撒餌収納容器１１の上面開口部を介して、撒餌収納容器１１内に、撒餌収納容器１１の側壁部２６にもたせ掛けて配置した場合、斜め上方へ突出するグリップ部２５から、上記シャフト１３は自重により、略垂直に下方へ垂下される。
【００２９】
そして、シャフト１３の下端部から上記固定用コード１２が撒餌収納容器１１との間に配設される。この場合、本実施例にあっては、上記シャフト１３は上記固定用コード１２の長さの約２／３の長さ寸法に形成されていることから、固定用コード１２と撒き餌用ひしゃく１０との間には、巻き付きを防止しうる十分な間隔寸法が確保されている。
【００３０】
また、釣り人が本実施例に係る撒餌用ヒシャク１０を使用してコマセを海面に散布する場合に、撒餌用ひしゃく１０を小さく振る場合には、上記シャフト１３は自重により下方に垂下したままであり、確実に固定用コード１２の巻きつきを防止することができる。また、撒餌用ひしゃく１０を大きく振って散布する場合であっても、シャフト１３は、上記固定用コード１２の長さの約２／３の長さ寸法に形成されており、十分な長さ寸法を有していることから、固定用コード１２の巻きつきを有効に防止できる。
【００３１】
さらに、本実施の形態及び本実施例にあっては、上記シャフト１３は形状記憶合金製であることから、ラフに撒餌用ひしゃく１０を使用した場合であっても、シャフト１３は直線形状に復帰することから、確実に固定用コード１２との間の離間寸法を確保することができる。
【００３２】
また、長年使用した場合であっても、同様に、確実に固定用コード１２との間の離間寸法を確保することができる。
なお、本実施の形態及び本実施例にあっては、上記シャフト１３が形状記憶合金により形成されている場合を例に説明したが、上記実施の形態及び実施例に限定されず、所定の自重及び剛性を有する素材により形成されていればよい。また、シャフトの形状に関しても上記実施の形態及び実施例に限定されない。
【産業上の利用可能性】
【００３３】
本発明に係るひしゃくは、釣りに使用される撒餌用ひしゃくに適用でき、さらに、広く、端部が紐等により固定されたひしゃくに広く適用することができる。
【図面の簡単な説明】
【００３４】
【図１】本発明に係るひしゃくの一実施の形態を示し、釣りに使用される撒餌用ひしゃくとして適用された場合を示す側面図である。
【符号の説明】
【００３５】
１０  撒餌用ひしゃく
１１  撒餌収納容器
１２  固定用コード
１３  シャフト
１４  一端部
１５  ひしゃく本体
１６  基端部
１７  他端部
１８  端部
１９  接合部材
２０  取っ手部
２１  固定用コード
２２  スパイラル部
２３  紐状部
２４  フック部
２５  グリップ部
【図１】
2005287362.tif 000003